(57)【要約】    【課題】真空浸炭又は真空浸炭窒化部品用の低コスト鋼材の提供。    【解決手段】C：0.10〜0.25％、Si：0.35〜1.5％、Mn：0.4〜1.5％、P≦0.025％、S：0.015〜0.05％、Cr：0.50〜2.0％、Al：0.010〜0.050％、N：0.012〜0.025％を含み、残部はFeと不純物からなり不純物中のO≦0.0012％、Ti≦0.003％で、〔910−203×C0.5＋44.7×Si≦860〕、〔2.0≦（0.31×C0.5）×（0.7×Si＋1.00）×（3.33×Mn＋1.00）×（2.16×Cr＋1.00）≦3.5〕、〔0.2×（S/Mn）＋P≦0.030〕を満たす化学組成を有し、長手方向に平行な断面における介在物の長径をL(μm)、短径をW(μm)として極値統計法によって予想される累積分布関数が99％時の〔（πLW／4）0.5〕で表される酸化物、酸化物を主体とする複合介在物、窒化物および窒化物を主体とする複合介在物の最大等価円直径が35μm以下であることを特徴とする真空浸炭または真空浸炭窒化用の鋼材。【選択図】なし【特許請求の範囲】
【請求項１】
質量％で、Ｃ：０．１０〜０．２５％、Ｓｉ：０．３５〜１．５％、Ｍｎ：０．４〜１．５％、Ｐ：０．０２５％以下、Ｓ：０．０１５〜０．０５％、Ｃｒ：０．５０〜２．０％、Ａｌ：０．０１０〜０．０５０％およびＮ：０．０１２〜０．０２５％を含有し、残部はＦｅおよび不純物からなり、不純物中のＯ（酸素）：０．００１２％以下およびＴｉ：０．００３％以下、かつ、下記の(1)〜(3)式を満たす化学組成を有し、さらに、長手方向に平行な断面において、介在物の長径をＬ（μｍ）、短径をＷ（μｍ）として極値統計法によって予想される累積分布関数が９９％時の下記(4)式で表される酸化物、酸化物を主体とする複合介在物、窒化物および窒化物を主体とする複合介在物の最大等価円直径が３５μｍ以下であることを特徴とする真空浸炭または真空浸炭窒化用の鋼材。
９１０−２０３×Ｃ0.5＋４４．７×Ｓｉ≦８６０・・・(1)
２．０≦（０．３１×Ｃ0.5）×（０．７×Ｓｉ＋１．００）×（３．３３×Ｍｎ＋１．００）×（２．１６×Ｃｒ＋１．００）≦３．５・・・(2)
０．２×（Ｓ／Ｍｎ）＋Ｐ≦０．０３０・・・(3)
（πＬＷ／４）0.5・・・(4)
なお、上記の(1)〜(3)式におけるＣ、Ｓｉ、Ｍｎ、Ｃｒ、ＳおよびＰは、鋼中のその元素の質量％での含有量を表す。
【請求項２】
質量％で、さらに、Ｎｂ：０．０８％以下およびＶ：０．１５％以下のうちの１種以上を含有することを特徴とする請求項１に記載の真空浸炭または真空浸炭窒化用の鋼材。
【請求項３】
質量％で、さらに、Ｃａ：０．００５％以下を含有することを特徴とする請求項１または２に記載の真空浸炭または真空浸炭窒化用の鋼材。
【発明の詳細な説明】
【技術分野】
【０００１】
本発明は、真空浸炭または真空浸炭窒化用の鋼材に関する。より詳しくは、自動車や産業機械の歯車、プーリー、シャフトなど各種の真空浸炭または真空浸炭窒化される部品の素材として好適な鋼線材、鋼線および棒鋼に関する。
【背景技術】
【０００２】
従来、自動車や産業機械の歯車、プーリー、シャフトなどの部品は、ＪＩＳのＳＣｒ４２０、ＳＣＭ４２０、ＳＮＣＭ４２０などの機械構造用合金鋼を素材として、ガス浸炭またはガス浸炭窒化を施して焼入れ（以下、ガス浸炭を施した焼入れを「ガス浸炭焼入れ」といい、また、ガス浸炭窒化を施した焼入れを「ガス浸炭窒化焼入れ」という。）を行った後、２００℃以下の温度で焼戻しを行い、さらに、必要に応じてショットピーニング処理を施すことにより、面疲労強度、曲げ疲労強度、耐摩耗性など、それぞれの部品に要求される特性を確保することが行われていた。
【０００３】
しかしながら、近年、自動車の燃費向上やエンジンの高出力化への対応のために部品の軽量・小型化が進み、これに伴って、部品にかかる負荷が高まる傾向にある。このため、産業界からは、部品の面疲労強度および曲げ疲労強度を高めたいとの要望が大きくなっている。
【０００４】
そして、上記産業界からの要望に応えるための技術が、例えば、特許文献１および特許文献２に開示されている。
【０００５】
具体的には、特許文献１に、質量％で、Ｃ：０．１５〜０．２５％、Ｓｉ：１．０〜１．５％、Ｍｎ：０．３〜２．０％、Ｓ：０．００５〜０．０２％、Ｃｒ：１．０〜１．８％、Ｍｏ：０．８〜１．２％、Ｖ：０．１０〜０．２５％、Ａｌ：０．００１〜０．０４％、Ｎ：０．００３〜０．０２％を含有し、Ｐ：０．０２％以下に制限し、必要に応じてさらに、Ｎｂ：０．０５％以下、Ｔｉ：０．０５％以下の内の１種または２種を含み、残部が鉄と不可避的不純物であり、〔３７Ｓｉ（％）＋１８Ｍｎ（％）＋１０Ｃｒ（％）＋３１Ｍｏ（％）＋２０１Ｖ（％）〕が１００〜１５０の範囲である鋼材を、歯車形状に成型加工した後、加熱温度が９００〜１０５０℃の範囲で真空浸炭処理を施すことを特徴とする「歯面疲労強度に優れた歯車の製造方法」が開示されている。
【０００６】
また、特許文献２に、質量％で、Ｃ：０．１〜０．３％、Ｓｉ：０．５〜３．０％、Ｍｎ：０．３〜３．０％、Ｐ：０．０３％以下、Ｓ：０．０３％以下、Ｃｕ：０．０１〜１．００％、Ｎｉ：０．０１〜３．００％、Ｃｒ：０．３〜１．０％、Ａｌ：０．２０％以下およびＮ：０．０５％以下を含有し、必要に応じてさらに、〈１〉Ｍｏ：２．０％以下、〈２〉Ｎｂ：０．２０％以下およびＴｉ：０．２０％以下、〈３〉Ｂ：０．０１％以下、〈４〉Ｐｂ：０．０１〜０．２０％、Ｂｉ：０．０１〜０．１０％およびＣａ：０．０００３〜０．０１００％、の４区分の元素のうちの少なくとも１種の元素を含有し、残部が不可避な不純物およびＦｅからなり、〔［Ｓｉ％］＋［Ｎｉ％］＋［Ｃｕ％］−［Ｃｒ％］＞０．５〕の条件を満たす合金組成を有する浸炭用鋼を部品形状に成形し、真空浸炭により浸炭して得た「浸炭部品」が開示されている。
【０００７】
【特許文献１】特開２００６−１８３０９５号公報
【特許文献２】特開２００７−２９１４８６号公報
【発明の開示】
【発明が解決しようとする課題】
【０００８】
前述の特許文献１で開示された技術は、粒界酸化が生じることに起因する疲労強度の低下を抑止するために、歯車の浸炭方法として真空浸炭を適用しているものの、その技術的思想は、「焼戻し軟化抵抗を向上させることにより歯面疲労強度に優れた歯車を製造すること」であるため、Ｍｏを０．８％以上も含有する鋼材を用いる必要があり、極めてコストが高くなってしまう。
【０００９】
また、特許文献２で開示された技術も、ＣｕやＮｉを積極的に含有させる必要があり、コストが高くなることを避け難い。また、その技術的思想はＳｉ、Ｎｉ、Ｃｕ、Ｃｒ量の制御によりエッジ部の過剰浸炭を抑制することであるが、実部品では、エッジ部からの破損よりもむしろ、歯元の曲げ疲労や、歯面のピッチングにより破損することが多い。そのため、エッジ部における過剰浸炭を制御しても、安定して優れた曲げ疲労強度およびピッチング強度を得ることはできない。
【００１０】
また、実部品においては、熱処理ひずみのバラツキによる寸法精度の低下が、部品間の疲労強度のバラツキとなり、安定して優れた曲げ疲労強度および面疲労強度を有する部品を提供することができないという問題もある。そのため、実操業においては熱処理ひずみのバラツキを低減することも重要となる。
【００１１】
本発明は、上記現状に鑑みてなされたもので、ＭｏやＮｉといった高価な元素を積極的に添加しなくても、自動車や産業機械の歯車、プーリー、シャフトなど各種の真空浸炭または真空浸炭窒化される部品に安定して優れた面疲労強度および曲げ疲労強度を確保させることができる、低コストの鋼材を提供することを目的とする。
【課題を解決するための手段】
【００１２】
「ガス浸炭焼入れ」または「ガス浸炭窒化焼入れ」の場合には、浸炭の際にＳｉ、Ｍｎ、ＣｒなどＦｅよりも酸化されやすい合金元素がオーステナイト粒界で酸化物を形成するので、鋼製部品の表層部には粒界酸化層が生成する。このため、表層近傍は合金元素の欠乏によって焼入れ性が低下し、焼入れ後の鋼製部品の表層部には不完全焼入れ組織が生成することを避けられない。なお、不完全焼入れ組織はマルテンサイトに比べて軟質であるパーライトやベイナイトが主体の組織である。
【００１３】
しかしながら、「真空浸炭」は数ｋＰａ以下程度に減圧した炉内に炭化水素系の生ガスを導入する浸炭期に、鋼製部品の表面層に炭化物を生成させ、拡散期に炭化物を炭素の供給源として炭素を内部に拡散させる浸炭方法である。また、「真空浸炭窒化」は上記真空浸炭の拡散処理後にアンモニアガスを導入し、炭素に加えて窒素を鋼製部品の表層部に導入する表面硬化処理である。このため、真空浸炭または真空浸炭窒化を施して焼入れを行った（以下、真空浸炭を施した焼入れを「真空浸炭焼入れ」といい、また、真空浸炭窒化を施した焼入れを「真空浸炭窒化焼入れ」という。）場合には、鋼製部品の表層部には、曲げ疲労強度の低下要因となる粒界酸化層が生成せず、面疲労強度の低下要因となる軟質な不完全焼入れ組織も生成しない。したがって、「真空浸炭焼入れ」または「真空浸炭窒化焼入れ」した場合の曲げ疲労強度と面疲労強度は、「ガス浸炭焼入れ」または「ガス浸炭窒化焼入れ」した場合に比べて優れている。
【００１４】
そこで、本発明者は、ＭｏやＮｉといった高価な元素を含有せずとも、安定して優れた曲げ疲労強度および面疲労強度を有する真空浸炭部品または真空浸炭窒化部品の素材として好適な鋼材を得ることを目標として、化学組成を始めとして最適な条件について調査・研究を重ねた。その結果、下記（ａ）〜（ｄ）の知見を得た。
【００１５】
（ａ）熱処理ひずみのバラツキを低減して、実操業上、安定して優れた曲げ疲労強度およびピッチング強度を有する部品を製造するためには、生地となる鋼の化学組成を、浸炭または浸炭窒化後に降温させて均熱保持する８３０〜８５０℃の温度において実質的にオーステナイト単相になるように制御する必要があり、
９１０−２０３×Ｃ0.5＋４４．７×Ｓｉ≦８６０・・・(1)
を満たすようにすればよい。なお、上記の(1)式におけるＣおよびＳｉは、鋼中のその元素の質量％での含有量を表す。
【００１６】
（ｂ）強度低下要因となる浸炭異常層の生成しない真空浸炭焼入れまたは真空浸炭窒化焼入れを施した場合に十分な面疲労強度を確保するためには、母材鋼、つまり、生地となる鋼の焼戻し軟化抵抗を向上させるために適正量のＳｉを含有させたうえで、鋼の焼入れ性を特定のレベル以上に高める必要があり、このためには、
２．０≦（０．３１×Ｃ0.5）×（０．７×Ｓｉ＋１．００）×（３．３３×Ｍｎ＋１．００）×（２．１６×Ｃｒ＋１．００）≦３．５・・・(2)
を満たすようにすればよい。上記の(2)式におけるＣ、Ｓｉ、ＭｎおよびＣｒは、鋼中のその元素の質量％での含有量を表す。
【００１７】
（ｃ）真空浸炭焼入れする場合には、旧オーステナイト粒界に偏析する傾向が大きいＰおよびＳの含有量を適正な範囲に制御することによって、具体的には、
０．２×（Ｓ／Ｍｎ）＋Ｐ≦０．０３０・・・(3)
を満たすことによって、十分な曲げ疲労強度を得ることができる。なお、上記の(3)式におけるＳ、ＭｎおよびＰは、鋼中のその元素の質量％での含有量を表す。
【００１８】
（ｄ）ガス浸炭焼入れの場合には、粒界酸化層が強度低下の主体的な要因になるのに対し、真空浸炭焼入れまたは真空浸炭窒化焼入れ（以下、単に「真空浸炭焼入れ」ということがある。）した場合には、ガス浸炭焼入れでは強度低下の要因とならないような表層近傍の介在物が疲労き裂の起点となって曲げ疲労強度の低下が生じる。しかしながら、鋼材の長手方向に平行な断面において、介在物の長径をＬ（μｍ）、短径をＷ（μｍ）として極値統計法によって予想される累積分布関数が９９％時の下記(4)式で表される酸化物、酸化物を主体とする複合介在物、窒化物および窒化物を主体とする複合介在物の最大等価円直径が３５μｍ以下を満たすようにすることによって、表層近傍の介在物が疲労き裂の起点となる曲げ疲労強度の低下を抑止することができる。
（πＬＷ／４）0.5・・・(4)。
【００１９】
なお、鋼材の長手方向に平行な断面において、極値統計処理によって予測される累積分布関数が９９％時の上記(4)式で表される介在物の最大等価円直径は次のようにして求める。
【００２０】
先ず、鋼材の長手方向に平行な断面を切り出して鏡面研磨した後、光学顕微鏡を用いて酸化物、酸化物を主体とする複合介在物、窒化物および窒化物を主体とする複合介在物について、倍率４００倍で５０視野観察する。そして、個々の介在物の長径をＬ（μｍ）、短径をＷ（μｍ）として、各視野における（πＬＷ／４）0.5の値が最大になるものを求める。
【００２１】
次に、上記で求めた５０の（πＬＷ／４）0.5の値を小さいものから順に並べ直してそれぞれ（πＬＷ／４）0.5j（ここで、ｊ＝１〜５０）とし、それぞれのｊについて、累積分布関数Ｆj＝１００（ｊ／５１）（％）を計算する。
【００２２】
そして、基準化変数ｙj＝−ｌｏｇe（−ｌｏｇe（ｊ／５1））を縦軸に、横軸に（πＬＷ／４）0.5jを取ったグラフを書き、最小自乗法によって近似直線を求め、求めた直線から、累積分布関数Ｆjが９９％となる時、すなわち基準化変数ｙj≒４．６となる時の値を読み取り、これを最大等価円直径（πＬＷ／４）0.5とする。
【００２３】
以下に、上記の知見（ａ）〜（ｄ）を得るに至った調査・研究の具体的内容について説明する。
【００２４】
《１》知見（ａ）について：
一般に、浸炭焼入れまたは浸炭窒化焼入れは、先ず、９３０〜９８０℃の温度で浸炭あるいは浸炭窒化を施した後、一旦８３０〜８５０℃の温度まで降温させて２０〜３０分均熱保持し、次いで、焼入れすることによって行なわれる。
【００２５】
焼入れ前の８３０〜８５０℃の温度での均熱保持の際に、オーステナイト単相にならずに、フェライトが混在すると、フェライトの比率に応じて焼入れ時の熱処理ひずみ量が変化するため、熱処理ひずみのバラツキが多くなって、実操業上、安定して優れた曲げ疲労強度およびピッチング強度を有する部品を製造することができない。
【００２６】
実操業において、上記の均熱保持工程は非平衡状態である。このため、本発明者らは、各種の鋼について、８３０〜８５０℃において、実質的にオーステナイト単相になる条件について種々の調査を実施した。その結果、鋼の化学組成が前述した、
９１０−２０３×Ｃ0.5＋４４．７×Ｓｉ≦８６０・・・(1)
を満たせば、８３０〜８５０℃において実質的にオーステナイト単相になるため、Ｓｉの含有量が多くても、この温度域から焼入れした場合の熱処理ひずみのバラツキが低減されて、安定して優れた曲げ疲労強度およびピッチング強度を得ることが可能なことが判明した。
【００２７】
《２》知見（ｂ）について：
本発明者らの従来の調査によると、真空浸炭焼入れした試験片を用いてローラーピッチング試験を行った場合の亀裂の起点が必ずしも最表面ではないのに対して、ガス浸炭焼入れした試験片を用いてローラーピッチング試験を行った場合には、最表面を起点として亀裂が発生していた。そこで、最表面から５００μｍの深さの位置までの組織を観察した。
【００２８】
その結果、ガス浸炭焼入れした試験片の場合には常に最表層にマルテンサイトに較べて軟質なパーライトが生成していた。
【００２９】
これに対して、真空浸炭焼入れした試験片の場合には、ローラーピッチング試験での面疲労強度が低かったものにだけ、最表層から５００μｍまでにマルテンサイトに較べて軟質なパーライトを主体とする不完全焼入れ組織が部分的に生成していた。したがって、真空浸炭焼入れする場合には、鋼の焼入れ性を特定のレベル以上に高めることが重要であることが明らかになった。
【００３０】
鋼の焼入れ性は、理想焼入れをしたときの臨界直径、すなわち、理想臨界直径（ＤI）で見積ることができること、また、ＤIは鋼の化学組成などから見積ることができ、そしてＤIは、大略、
〔（０．３１×Ｃ0.5）×（０．７×Ｓｉ＋１．００）×（３．３３×Ｍｎ＋１．００）×（２．１６×Ｃｒ＋１．００）×（３．００×Ｍｏ＋１．００）〕
の式で求められる値と一次の相関があることが知られている。
【００３１】
そこで、本発明者らは、焼入れ性を変化させた、表１に示す化学組成を有する鋼ａ〜ｆおよび鋼１を５０ｋｇ真空溶解炉で溶解した後、鋳造してインゴットを作製した。ここで、鋼ａ〜ｆはＭｏを含有していない鋼であり、鋼１はＭｏを含有するＪＩＳのＳＣＭ４２０に相当する鋼である。
【００３２】
なお、溶解は、真空度を高くし、かつ、脱酸剤としてのＡｌの投入までの時間を長くして、鋼中の酸素量を十分に低減するようにした。
【００３３】
表１には、前記〔９１０−２０３×Ｃ0.5＋４４．７×Ｓｉ〕の式で表される値および〔（０．３１×Ｃ0.5）×（０．７×Ｓｉ＋１．００）×（３．３３×Ｍｎ＋１．００）×（２．１６×Ｃｒ＋１．００）〕の式で表される値を、それぞれ、「ｆ１の値」および「ｆ２の値」として併記した。なお、鋼１についてはＭｏを含有しているため、「ｆ２の値」は〔（０．３１×Ｃ0.5）×（０．７×Ｓｉ＋１．００）×（３．３３×Ｍｎ＋１．００）×（２．１６×Ｃｒ＋１．００）×（３．００×Ｍｏ＋１．００）〕の式で表される値とした。
【００３４】
【表１】
2010150566.tif 000002
【００３５】
各インゴットを一旦室温まで冷却した後、２分割し、大型の介在物が少ないインゴットの下部（インゴットの下半分）に相当する方を次工程の熱間鍛造に供した。
【００３６】
すなわち、１２５０℃で加熱し、仕上げ温度を９５０℃以上として熱間鍛造して、直径３５ｍｍの丸棒を得た。なお、熱間鍛造終了後は、大気中で放冷して室温まで冷却した。
【００３７】
次いで、上記の各丸棒に、９２５℃で３０分保持した後に大気中で放冷して室温まで冷却する焼ならしを施した。
【００３８】
焼ならし後の直径が３５ｍｍの各丸棒の中心部から、鍛錬軸に平行に図１に示す形状のローラーピッチング小ローラー試験片を切り出した。なお、図１における寸法の単位は「ｍｍ」である。
【００３９】
鋼ａ〜ｆのローラーピッチング小ローラー試験片については、温度が９３０℃で、圧力を数Ｐａ程度に減圧した炉内にアセチレンを導入し、表面のＣ濃度が共析組成である０．８％となるように図２に示すヒートパターンで「真空浸炭焼入れ−焼戻し」を行った。なお、浸炭期は１ｋＰａ以下のアセチレン雰囲気であり、拡散期は５ｈＰａ以下の真空である。その後、仕上げ加工を施して、室温でのローラーピッチング試験に供した。
【００４０】
一方、鋼１のローラーピッチング小ローラー試験片については、表面のＣ濃度が０．８％となるよう図３に示すヒートパターンで「ガス浸炭焼入れ−焼戻し」を行ない、その後、仕上げ加工を施して、室温でのローラーピッチング試験に供した。ここで、図３における「Ｃｐ」はカーボンポテンシャルを意味する。
【００４１】
ローラーピッチング試験に用いる大ローラーの素材には、ＪＩＳのＳＣＭ４２０鋼を用い、一般的な製造工程、すなわち通常の「焼ならし→試験片加工→ガス浸炭炉による共析浸炭→焼入れ→低温焼戻し→研磨」の工程で、図４に示す形状に仕上げた。なお、図４における寸法の単位は「ｍｍ」である。
【００４２】
上記のようにして作製したローラーピッチング大ローラーの表面から０．０５ｍｍの位置における硬さはビッカース硬さで７４０〜７６０であった。また、ビッカース硬さが５５０を超える、いわゆる「有効硬化層深さ」は、０．８〜１．０ｍｍの範囲にあった。
【００４３】
上記のようにして作製した小ローラーと大ローラーを用い、すべり率４０％、回転数１５００ｒｐｍ、油温９０℃の条件でローラーピッチング試験を行った。
【００４４】
なお、累積回転数が１．０×１０7回で破損しなかった際の面圧を「ピッチング強度」とし、このピッチング強度によって面疲労強度を評価した。
【００４５】
ピッチング強度は、図３に示すヒートパターンで「ガス浸炭焼入れ−焼戻し」を行なったＪＩＳのＳＣＭ４２０に相当する鋼１のピッチング強度に対して２０％以上向上していることを目標とした。
【００４６】
表１に、鋼１のピッチング強度を「１．００」として各鋼について求めた「ピッチング強度」を併記した。
【００４７】
また、図５に、鋼１のピッチング強度を「１．００」とした場合の鋼ａ〜ｆのピッチング強度と〔（０．３１×Ｃ0.5）×（０．７×Ｓｉ＋１．００）×（３．３３×Ｍｎ＋１．００）×（２．１６×Ｃｒ＋１．００）〕の式で表される値との関係を整理して示す。なお、図５においては、上記の式をｆ２として表記した。
【００４８】
図５から、ｆ２の値、つまり、〔（０．３１×Ｃ0.5）×（０．７×Ｓｉ＋１．００）×（３．３３×Ｍｎ＋１．００）×（２．１６×Ｃｒ＋１．００）〕の式で表される値が２．０以上であれば、安定して目標の疲労強度を得ることができることが判明した。
【００４９】
一方、ｆ２の値、つまり、〔（０．３１×Ｃ0.5）×（０．７×Ｓｉ＋１．００）×（３．３３×Ｍｎ＋１．００）×（２．１６×Ｃｒ＋１．００）〕の式で表される値が３．５を超えても、ピッチング強度向上の効果は飽和する傾向が認められた。
【００５０】
《３》知見（ｃ）について：
本発明者らの従来の調査によると、ガス浸炭焼入れした試験片の場合に比べて、真空浸炭焼入れした試験片の場合には、回転曲げ疲労試験を行うと、最表面近傍で粒界に沿った亀裂進展が顕著であった。
【００５１】
そこで、上記の浸炭条件によって、最表面近傍での粒界に沿った亀裂進展状況が異なる原因について検討した結果、真空浸炭焼入れの場合は、粒界に偏析しやすい元素の影響が大きくなると考えるに至り、粒界偏析しやすいＰおよびＳの含有量を意図的に変化させた鋼を溶解して調査した。
【００５２】
すなわち、本発明者らは、表２に示す化学組成を有する鋼イ〜チを５０ｋｇ真空溶解炉で溶解した後、鋳造してインゴットを作製した。
【００５３】
なお、溶解は、真空度を高くし、かつ、脱酸剤としてのＡｌの投入までの時間を長くして、鋼中の酸素量を十分に低減するようにした。
【００５４】
表２には、前記〔９１０−２０３×Ｃ0.5＋４４．７×Ｓｉ〕の式で表される値、〔（０．３１×Ｃ0.5）×（０．７×Ｓｉ＋１．００）×（３．３３×Ｍｎ＋１．００）×（２．１６×Ｃｒ＋１．００）〕の式で表される値および〔０．２×（Ｓ／Ｍｎ）＋Ｐ〕の式で表される値を、それぞれ、「ｆ１の値」、「ｆ２の値」および「ｆ３の値」として併記し、さらに、〔（Ｓ／Ｍｎ）＋Ｐ〕の式で表される値および〔Ｓ＋Ｐ〕の式で表される値も併記した。なお、前記のＪＩＳのＳＣＭ４２０に相当する鋼１についてはＭｏを含有しているため、「ｆ２の値」は〔（０．３１×Ｃ0.5）×（０．７×Ｓｉ＋１．００）×（３．３３×Ｍｎ＋１．００）×（２．１６×Ｃｒ＋１．００）×（３．００×Ｍｏ＋１．００）〕の式で表される値とした。
【００５５】
【表２】
2010150566.tif 000003
【００５６】
各インゴットを一旦室温まで冷却した後、２分割し、大型の介在物が少ないインゴットの下部（インゴットの下半分）に相当する方を次工程の熱間鍛造に供した。
【００５７】
すなわち、１２５０℃で加熱し、仕上げ温度を９５０℃以上として熱間鍛造して、直径３５ｍｍの丸棒を得た。なお、熱間鍛造終了後は、大気中で放冷して室温まで冷却した。
【００５８】
次いで、上記の各丸棒に、９２５℃で３０分保持した後に大気中で放冷して室温まで冷却する焼ならしを施した。
【００５９】
焼ならし後の直径が３５ｍｍの鋼イ〜チの各丸棒の中心部から、鍛錬軸に平行に図６に示す形状の小野式回転曲げ疲労試験片を切り出した。前述した焼ならし後の直径が３５ｍｍの鋼１の丸棒の中心部からも、同様に、鍛錬軸に平行に図６に示す形状の小野式回転曲げ疲労試験片を切り出した。なお、図６における寸法の単位は「ｍｍ」である。
【００６０】
鋼イ〜チの小野式回転曲げ疲労試験片については、温度が９３０℃で、圧力を数Ｐａ程度に減圧した炉内にアセチレンを導入し、表面のＣ濃度が共析組成である０．８％となるように、図２に示すヒートパターンで「真空浸炭焼入れ−焼戻し」を行なった。なお、浸炭期は１ｋＰａ以下のアセチレン雰囲気であり、拡散期は５ｈＰａ以下の真空である。その後、仕上げ加工を施して、室温での小野式回転曲げ疲労試験に供した。
【００６１】
一方、鋼１の小野式回転曲げ疲労試験片については、表面のＣ濃度が０．８％となるよう図３に示すヒートパターンで「ガス浸炭焼入れ−焼戻し」を行ない、その後、仕上げ加工を施して、室温での小野式回転曲げ疲労試験に供した。
【００６２】
なお、小野式回転曲げ疲労試験は、３０００ｒｐｍの回転数、室温、大気中の雰囲気で行い、１．０×１０7回で破損しなかった際の応力を「疲労限」とし、この疲労限によって曲げ疲労強度を評価した。
【００６３】
なお、疲労限は、図３に示すヒートパターンで「ガス浸炭焼入れ−焼戻し」を行なったＪＩＳのＳＣＭ４２０に相当する鋼１の疲労限に対して２０％以上向上していることを目標とした。
【００６４】
表２に、鋼１の疲労限を「１．００」として各鋼について求めた「疲労限」を併記した。
【００６５】
表２に記載した化学成分の鋼の場合には、一般に、Ｐは、化合物を形成し難く、粒界に偏析しやすい。また、Ｓは、ＭｎＳを形成しやすいので、ＭｎＳを形成した残部のＳが粒界に偏析しやすい。したがって、Ｍｎの含有量が多いと、ＭｎＳを形成した残部のＳは少なくなる。
【００６６】
そこで、図７および図８に、それぞれ、鋼１の疲労限を「１．００」とした場合の鋼イ〜チの疲労限と、〔（Ｓ／Ｍｎ）＋Ｐ〕の式で表される値との関係および〔Ｓ＋Ｐ〕の式で表される値との関係を整理した。
【００６７】
しかしながら、図７および図８から明らかなように、〔（Ｓ／Ｍｎ）＋Ｐ〕の式で表される値および〔Ｓ＋Ｐ〕の式で表される値と、疲労限との間には明確な相関は認められなかった。
【００６８】
そこでさらに検討を加えた結果、図９に示すように、鋼１の疲労限を「１．００」とした場合の鋼イ〜チの疲労限は、〔０．２×（Ｓ／Ｍｎ）＋Ｐ〕の式で表される値と明確な相関関係を有し、〔０．２×（Ｓ／Ｍｎ）＋Ｐ〕の式で表される値が０．０３０以下の場合に、安定して目標の疲労限が得られることが判明した。
【００６９】
《４》知見（ｄ）について：
本発明者らは、表３に示す化学組成を有する鋼Ａ〜Ｆを５０ｋｇ真空溶解炉で溶解した後、鋳造してインゴットを作製した。
【００７０】
なお、溶解は、真空度および脱酸剤としてのＡｌの投入までの時間を変化させて行った。
【００７１】
表３には、前記〔９１０−２０３×Ｃ0.5＋４４．７×Ｓｉ〕の式で表される値、〔（０．３１×Ｃ0.5）×（０．７×Ｓｉ＋１．００）×（３．３３×Ｍｎ＋１．００）×（２．１６×Ｃｒ＋１．００）〕の式で表される値および〔０．２×（Ｓ／Ｍｎ）＋Ｐ〕の式で表される値を、それぞれ、「ｆ１の値」、「ｆ２の値」および「ｆ３の値」として併記した。なお、前記のＪＩＳのＳＣＭ４２０に相当する鋼１についてはＭｏを含有しているため、「ｆ２の値」は〔（０．３１×Ｃ0.5）×（０．７×Ｓｉ＋１．００）×（３．３３×Ｍｎ＋１．００）×（２．１６×Ｃｒ＋１．００）×（３．００×Ｍｏ＋１．００）〕の式で表される値とした。
【００７２】
【表３】
2010150566.tif 000004
【００７３】
各インゴットを一旦室温まで冷却した後、大型の介在物が少ないインゴットの下半分と、大型介在物の多いインゴットの上部１／５を区別して、次工程の熱間鍛造に供した。なお、前述のＪＩＳのＳＣＭ４２０に相当する鋼１のインゴットも同様にインゴットの下半分と、インゴットの上部１／５を区別して次工程の熱間鍛造に供した。
【００７４】
すなわち、１２５０℃で加熱し、仕上げ温度を９５０℃以上として熱間鍛造して、直径３５ｍｍの丸棒を得た。なお、熱間鍛造終了後は、大気中で放冷して室温まで冷却した。
【００７５】
次いで、上記の各丸棒に、９２５℃で３０分保持した後に大気中で放冷して室温まで冷却する焼ならしを施した。
【００７６】
焼ならし後の直径が３５ｍｍの鋼Ａ〜Ｆおよび鋼１の各丸棒の中心部から、鍛錬軸に平行に図６に示す形状の小野式回転曲げ疲労試験片を切り出した。
【００７７】
このようにして得た鋼Ａ〜Ｆの小野式回転曲げ疲労試験片について、温度が９３０℃で、圧力を数Ｐａ程度に減圧した炉内にアセチレンを導入し、表面のＣ濃度が共析組成である０．８％となるように、図２に示すヒートパターンで「真空浸炭焼入れ−焼戻し」を行なった。なお、浸炭期は１ｋＰａ以下のアセチレン雰囲気であり、拡散期は５ｈＰａ以下の真空である。その後、仕上げ加工を施して、室温での小野式回転曲げ疲労試験に供した。また、ＪＩＳのＳＣＭ４２０に相当する鋼１の小野式回転曲げ疲労試験片は、図３に示すヒートパターンで「ガス浸炭焼入れ−焼戻し」を行なった後、仕上げ加工を施して、室温での小野式回転曲げ疲労試験に供した。
【００７８】
小野式回転曲げ疲労試験は、３０００ｒｐｍの回転数、室温、大気中の雰囲気で行い、１．０×１０7回で破損しなかった際の応力を「疲労限」とし、この疲労限によって曲げ疲労強度を評価した。
【００７９】
疲労限は、図３に示すヒートパターンで「ガス浸炭焼入れ−焼戻し」を行なった、ＪＩＳのＳＣＭ４２０に相当する鋼１のインゴットの下半分を用いた方の疲労限に対して２０％以上向上していることを目標とした。
【００８０】
表４に、ＪＩＳのＳＣＭ４２０に相当する鋼１のインゴットの下半分を用いた方の疲労限を「１．００」として、各鋼のインゴットの使用部位毎に求めた「疲労限」を示す。
【００８１】
【表４】
2010150566.tif 000005
【００８２】
表４に示すように、ＪＩＳのＳＣＭ４２０に相当する鋼１のガス浸炭焼入れの場合には、インゴットの下半分を使用した場合であっても、インゴットの上部１／５を使用した場合であっても、破壊の起点が表層近傍の介在物ではなく、粒界酸化層であり疲労限は同じであった。
【００８３】
一方、粒界酸化層の生成しない真空浸炭焼入れの場合には、インゴットの下半分を使用した鋼Ａ〜Ｄ、およびインゴットの上部１／５を使用した鋼Ａは、破壊の起点が表面であり、目標の曲げ疲労強度を満足した。しかしながら、インゴットの上部１／５を使用した鋼Ｂ〜Ｆならびにインゴットの下半分を使用した鋼Ｅおよび鋼Ｆは、破壊の起点が表層近傍の介在物であり、目標の曲げ疲労強度を満足することができなかった。
【００８４】
そこで、図１０に、鋼１の疲労限を「１．００」とした場合の、鋼Ａ〜Ｆのインゴットの上部１／５および下半分を使用したものについて、疲労限と酸素含有量との関係をまとめて示した。なお、図１０においては、「酸素含有量」を「酸素量」と表記した。
【００８５】
図１０から、酸素含有量が０．００１２％を超えると、目標の曲げ疲労強度が得られないことがわかる。しかしながら一方では、酸素含有量を０．００１２％以下に制限しても、必ずしも目標の曲げ疲労強度が得られるわけではないこともわかる。
【００８６】
そこで次に、介在物の大きさを測定するために、長手方向に平行な断面において、下記に示す極値統計法によって予想される累積分布関数が９９％時の下記(4)式で表される酸化物、酸化物を主体とする複合介在物、窒化物および窒化物を主体とする複合介在物の最大等価円直径を調査した。
（πＬＷ／４）0.5・・・(4)。
【００８７】
なお疲労破壊の起点には、酸化物、酸化物を主体とする複合介在物、窒化物および窒化物を主体とする複合介在物だけが観察された。このため、上記の介在物についてのみ測定を行った。
【００８８】
すなわち、鋼Ａ〜Ｆおよび鋼１のインゴットの上部１／５と下半分を使用した場合を区別して、その各々について、焼ならしした直径３５ｍｍの丸棒を用いて、丸棒の長手方向に平行な断面を切り出して鏡面研磨した後、光学顕微鏡を用いて酸化物、酸化物を主体とする複合介在物、窒化物および窒化物を主体とする複合介在物について、倍率４００倍で５０視野観察した。そして、個々の介在物の長径をＬ（μｍ）、短径をＷ（μｍ）として、各視野における（πＬＷ／４）0.5の値が最大になるものを求めた。
【００８９】
そして、上記で求めた５０の（πＬＷ／４）0.5の値を小さいものから順に並べ直してそれぞれ（πＬＷ／４）0.5j（ここで、ｊ＝１〜５０）とし、それぞれのｊについて、累積分布関数Ｆj＝１００（Ｊ／５１）（％）を計算した。
【００９０】
次いで、基準化変数ｙj＝−ｌｏｇe（−ｌｏｇe（ｊ／５１））を縦軸に、横軸に（πＬＷ／４）0.5jを取ったグラフを書き、最小自乗法によって近似直線を求めた。そして、求めた直線から、累積分布関数Ｆjが９９％となる時（すなわち、基準化変数ｙj≒４．６となる時）の値を読み取り、これを最大等価円直径（πＬＷ／４）0.5とした。
【００９１】
なお、「酸化物を主体とする複合介在物」とは、光学顕微鏡で観察したときに、その介在物中に酸化物が面積割合で５０％以上占めているものを指し、同様に、「窒化物を主体とする複合介在物」とは、光学顕微鏡で観察したときに、その介在物中に窒化物が面積割合で５０％以上占めているものを指す。
【００９２】
表４に、上記のようにして予想される累積分布関数が９９％時の前記(4)式で表される酸化物、酸化物を主体とする複合介在物、窒化物および窒化物を主体とする複合介在物の最大等価円直径を併記した。
【００９３】
また、図１１に、鋼１の疲労限を「１．００」とした場合の、鋼Ａ〜Ｆのインゴットの上部１／５および下半分を使用したものについて、疲労限と介在物の最大等価円直径との関係を整理して示した。
【００９４】
図１１から明らかなように、長手方向に平行な断面において、極値統計法によって予想される累積分布関数が９９％時の前記(4)式で表される酸化物、酸化物を主体とする複合介在物、窒化物および窒化物を主体とする複合介在物の最大等価円直径が３５μｍ以下であれば、安定して目標の疲労限が得られることが判明した。
【００９５】
本発明は、上記の知見に基づいて完成されたものであり、その要旨は、下記（１）〜（３）に示す真空浸炭または真空浸炭窒化用の鋼材にある。
【００９６】
（１）質量％で、Ｃ：０．１０〜０．２５％、Ｓｉ：０．３５〜１．５％、Ｍｎ：０．４〜１．５％、Ｐ：０．０２５％以下、Ｓ：０．０１５〜０．０５％、Ｃｒ：０．５０〜２．０％、Ａｌ：０．０１０〜０．０５０％およびＮ：０．０１２〜０．０２５％を含有し、残部はＦｅおよび不純物からなり、不純物中のＯ（酸素）：０．００１２％以下およびＴｉ：０．００３％以下、かつ、下記の(1)〜(3)式を満たす化学組成を有し、さらに、長手方向に平行な断面において、介在物の長径をＬ（μｍ）、短径をＷ（μｍ）として極値統計法によって予想される累積分布関数が９９％時の下記(4)式で表される酸化物、酸化物を主体とする複合介在物、窒化物および窒化物を主体とする複合介在物の最大等価円直径が３５μｍ以下であることを特徴とする真空浸炭または真空浸炭窒化用の鋼材。
９１０−２０３×Ｃ0.5＋４４．７×Ｓｉ≦８６０・・・(1)
２．０≦（０．３１×Ｃ0.5）×（０．７×Ｓｉ＋１．００）×（３．３３×Ｍｎ＋１．００）×（２．１６×Ｃｒ＋１．００）≦３．５・・・(2)
０．２×（Ｓ／Ｍｎ）＋Ｐ≦０．０３０・・・(3)
（πＬＷ／４）0.5・・・(4)
なお、上記の(1)〜(3)式におけるＣ、Ｓｉ、Ｍｎ、Ｃｒ、ＳおよびＰは、鋼中のその元素の質量％での含有量を表す。
【００９７】
（２）質量％で、さらに、Ｎｂ：０．０８％以下およびＶ：０．１５％以下のうちの１種以上を含有することを特徴とする上記（１）に記載の真空浸炭または真空浸炭窒化用の鋼材。
【００９８】
（３）質量％で、さらに、Ｃａ：０．００５％以下を含有することを特徴とする上記（１）または（２）に記載の真空浸炭または真空浸炭窒化用の鋼材。
【００９９】
なお、残部としての「Ｆｅおよび不純物」における「不純物」とは、鉄鋼材料を工業的に製造する際に、鉱石あるいはスクラップ等のような原料を始めとして、製造工程の種々の要因によって混入するものを指す。
【０１００】
また、「酸化物を主体とする複合介在物」とは、光学顕微鏡で観察したときに、その介在物中に酸化物が面積割合で５０％以上占めているものを指す。同様に、「窒化物を主体とする複合介在物」とは、光学顕微鏡で観察したときに、その介在物中に窒化物が面積割合で５０％以上占めているものを指す。
【発明の効果】
【０１０１】
本発明の真空浸炭または真空浸炭窒化用の鋼材は、ＭｏやＮｉといった高価な元素を含有していないため、成分コストが低く、しかも、この鋼材を素材として真空浸炭または真空浸炭窒化を施して焼入れされた部品は、安定して優れた面疲労強度と曲げ疲労強度を具備している。このため、本発明の真空浸炭または真空浸炭窒化用の鋼材は、自動車や産業機械の歯車、プーリー、シャフトなど各種の真空浸炭または真空浸炭窒化される部品の素材として用いるのに好適である。
【発明を実施するための最良の形態】
【０１０２】
本発明において、化学組成および介在物を上述のように規定した理由について、以下に説明する。なお、各成分元素の含有量の「％」は「質量％」を意味する。
【０１０３】
（Ａ）化学組成
Ｃ：０．１０〜０．２５％
Ｃは、浸炭焼入れあるいは浸炭窒化焼入れした部品の芯部強度（生地の強度）を確保するために必須の元素である。しかしながら、その含有量が０．１０％未満では前記の効果が不十分である。一方、Ｃの含有量が０．２５％を超えると、鋼材あるいは、これを素材にして熱間鍛造などの方法で製造した粗形品の強度が高くなりすぎるために、被削性が大きく低下する。したがって、Ｃの含有量を０．１０〜０．２５％とした。なお、Ｃ含有量の望ましい下限は０．１３％であり、また、望ましい上限は０．２３％である。
【０１０４】
Ｓｉ：０．３５〜１．５％
Ｓｉは、焼入れ性および焼戻し軟化抵抗を高める効果があり、面疲労強度を高めるのに有効な元素である。しかしながら、その含有量が０．３５％未満では前記の効果が不十分である。一方、Ｓｉの含有量が１．５％を超えると、面疲労強度を高める効果が飽和するだけでなく、鋼材あるいは、これを素材にして熱間鍛造などの方法で製造した粗形品の強度が高くなりすぎるため、被削性が大きく低下する。したがって、Ｓｉの含有量を０．３５〜１．５％とした。なお、Ｓｉの含有量が０．５％以上になると、面疲労強度の向上が顕著になる。したがって、面疲労強度向上のためにＳｉ含有量の下限は０．３５％とすることが望ましい。また、良好な被削性を確保するためには、Ｓｉ含有量の上限は１．０％とすることが望ましい。
【０１０５】
Ｍｎ：０．４〜１．５％
Ｍｎは、焼入れ性、焼戻し軟化抵抗を高める効果があり、面疲労強度を高めるのに有効な元素である。また、ＭｎはＳと結合してＭｎＳを形成し、被削性を向上させる作用を有する。こうした効果を得るには、０．４％以上の量のＭｎを含有する必要がある。しかしながら、Ｍｎの含有量が１．５％を超えると、面疲労強度を高める効果が飽和するだけでなく、鋼材あるいは、これを素材にして熱間鍛造などの方法で製造した粗形品の強度が高くなりすぎ、かつ、粗大なＭｎＳが生成するため、却って被削性が大きく低下し、面疲労強度を低下させる傾向がある。したがって、Ｍｎの含有量を０．４〜１．５％とした。なお、Ｍｎ含有量の望ましい下限は０．６％であり、また、望ましい上限は１．３％である。
【０１０６】
Ｐ：０．０２５％以下
Ｐは粒界偏析して、粒界を脆化させやすい元素のため、Ｐ量が多くなると、曲げ疲労強度を低下させしまう傾向があり、特に０．０２５％を超えると、他の要件を満たしていても所望の曲げ疲労強度（後述の実施例における目標の曲げ疲労強度）が得られない。したがって、Ｐの上限を０．０２５％とした。なお、Ｐ含有量のより好ましい上限は、０．０２２％である。
【０１０７】
Ｓ：０．０１５〜０．０５％
Ｓは、Ｍｎと結合してＭｎＳを形成し、被削性を向上させる作用を有する。しかしながら、その含有量が０．０１５％未満では、前記の効果が得難い。一方、Ｓの含有量が多くなると、粗大なＭｎＳを生成しやすくなって面疲労強度を低下させる傾向があり、特に、その含有量が０．０５％を超えると、他の要件を満たしていても所望の面疲労強度（後述の実施例における目標のピッチング強度）が得られない。したがって、Ｓの含有量を０．０１５〜０．０５％とした。なお、Ｓ含有量の望ましい上限は０．０４％である。
【０１０８】
Ｃｒ：０．５０〜２．０％
Ｃｒは、焼入れ性、焼戻し軟化抵抗を高める効果があり、面疲労強度を高めるのに有効な元素である。しかしながら、その含有量が０．５０％未満では前記の効果が不十分である。一方、Ｃｒの含有量が２．０％を超えると、面疲労強度を高める効果が飽和するだけでなく、真空浸炭後または真空浸炭窒化後の被処理材の表面に、浸炭期に生成した炭化物が残留しやすくなる。したがって、Ｃｒの含有量を０．５０〜２．０％とした。なお、Ｃｒの含有量が１．２％以上になると、面疲労強度の向上が顕著になる。したがって、面疲労強度向上のためにＣｒ含有量の下限は１．２％とすることが望ましい。また、真空浸炭後または真空浸炭窒化後の被処理材の表面への浸炭期に生成した炭化物の残留を抑止するために、Ｃｒ含有量の上限は１．８％とすることが望ましい。
【０１０９】
Ａｌ：０．０１０〜０．０５０％
Ａｌは、脱酸作用を有する元素である。また、Ａｌは、Ｎと結合してＡｌＮを形成しやすい元素である。そして、ＡｌＮは、焼入れ部の結晶粒微細化に有効で、曲げ疲労強度および面疲労強度を高める効果がある。しかしながら、Ａｌの含有量が０．０１０％未満ではこうした効果は得難い。一方、Ａｌは硬質な酸化物を形成しやすく、Ａｌの含有量が０．０５０％を超えると、却って曲げ疲労強度の低下が著しくなって、他の要件を満たしていても所望の曲げ疲労強度（後述の実施例における目標の曲げ疲労強度）が得られなくなる。したがって、Ａｌの含有量を０．０１０〜０．０５０％とした。なお、Ａｌ含有量の望ましい下限は０．０１２％であり、また、望ましい上限は０．０４０％である。
【０１１０】
Ｎ：０．０１２〜０．０２５％
Ｎは、Ａｌ、Ｎｂ、ＶおよびＴｉと結合してＡｌＮ、ＮｂＮ、Ｎｂ（Ｃ、Ｎ）、ＶＮ、Ｖ（Ｃ、Ｎ）およびＴｉＮを形成しやすく、このなかで、ＡｌＮ、ＮｂＮ、Ｎｂ（Ｃ、Ｎ）、ＶＮおよびＶ（Ｃ、Ｎ）は、焼入れ部の結晶粒微細化に有効で、曲げ疲労強度および面疲労強度を高める効果がある。しかしながら、Ｎの含有量が０．０１２％未満ではこれらの効果は不十分である。一方、Ｎの含有量が０．０２５％を超えると、粗大なＴｉＮが生成しやすくなって、却って曲げ疲労強度の低下が著しくなり、他の要件を満たしていても所望の曲げ疲労強度（後述の実施例における目標の曲げ疲労強度）が得られなくなる。したがって、Ｎの含有量を０．０１２〜０．０２５％とした。なお、Ｎ含有量の下限は０．０１５％とすることが望ましい。また、Ｎ含有量の上限は０．０２３％とすることが望ましい。
【０１１１】
本発明の鋼材の化学組成の一つは、上記の各元素のほか、残部がＦｅと不純物からなり、不純物中のＯ（酸素）：０．００１５％以下およびＴｉ：０．００３％以下のものである。
【０１１２】
以下、不純物中のＯおよびＴｉについて説明する。
【０１１３】
Ｏ（酸素）：０．００１２％以下
Ｏは、Ａｌと結合して硬質な酸化物を形成しやすく、曲げ疲労強度を低下させてしまう。特に、不純物中のＯの含有量が多くなって０．００１２％を超えると、他の要件を満たしていても所望の曲げ疲労強度（後述の実施例における目標の曲げ疲労強度）が得られなくなる。したがって、不純物中のＯの含有量を０．００１２％以下とした。なお、不純物中のＯの含有量はできる限り少なくすることが望ましいが、製鋼でのコストを考慮すると、０．００１０％程度にまで少なくすることが好ましい。
【０１１４】
Ｔｉ：０．００３％以下
Ｔｉは、Ｎと結合して硬質な窒化物を形成しやすく、曲げ疲労強度を低下させてしまう。特に、不純物中のＴｉの含有量が多くなって０．００３％を超えると、他の要件を満たしていても所望の曲げ疲労強度（後述の実施例における目標の曲げ疲労強度）が得られなくなる。したがって、不純物中のＴｉの含有量を０．００３％以下とした。なお、不純物中のＴｉの含有量はできる限り少なくすることが望ましいが、製鋼でのコストを考慮すると、０．００２％以下とすることが好ましい。
【０１１５】
本発明の鋼材の化学組成の他の一つは、上記の元素に加えてさらに、Ｎｂ、ＶおよびＣａのうちから選んだ１種以上の元素を含有するものである。
【０１１６】
以下、上記の元素の作用効果と、含有量の限定理由について説明する。
【０１１７】
ＮｂおよびＶは、いずれも曲げ疲労強度および面疲労強度を高める作用を有する。このため、より高い曲げ疲労強度および面疲労強度を確保したい場合には、以下の範囲で含有してもよい。
【０１１８】
Ｎｂ：０．０８％以下
Ｎｂは、Ｃ、Ｎと結合してＮｂＣ、ＮｂＮ、Ｎｂ（Ｃ、Ｎ）を形成しやすく、前述したＡｌＮによる焼入れ部の結晶粒微細化を補完するのに有効で、曲げ疲労強度および面疲労強度を高める作用を有するので、こうした効果を得るためにＮｂを含有してもよい。しかしながら、Ｎｂの含有量が多くなって、０．０８％を超えると、粗大なＮｂ（Ｃ、Ｎ）が生成しやすくなり、却って曲げ疲労強度が低下する。したがって、Ｎｂの含有量を０．０８％以下とした。なお、Ｎｂの含有量は０．０６％以下とすることが望ましい。
【０１１９】
一方、前記したＮｂの曲げ疲労強度および面疲労強度の向上効果を確実に得るためには、Ｎｂ含有量の下限を０．０１％とすることが望ましく、０．０２％とすれば一層望ましい。
【０１２０】
Ｖ：０．１５％以下
Ｖは、Ｃ、Ｎと結合してＶＣ，ＶＮ、Ｖ（Ｃ、Ｎ）を形成しやすく、このうち、ＶＮおよびＶ（Ｃ、Ｎ）は、前述したＡｌＮによる焼入れ部の結晶粒微細化を補完するのに有効で、曲げ疲労強度および面疲労強度を高める作用を有する。また、浸炭窒化時にＶＮが析出すると、面疲労強度をより高める効果がある。このため、前述した効果を得るためにＶを含有してもよい。しかしながら、Ｖの含有量が多くなって、０．１５％を超えると、鋼材あるいは、これを素材にして熱間鍛造した粗形品の強度が高くなりすぎるため、被削性が大きく低下する。したがって、Ｖの含有量を０．１５％以下とした。なお、Ｖの含有量は０．１３％以下とすることが望ましい。
【０１２１】
一方、前記したＶの曲げ疲労強度および面疲労強度の向上効果を確実に得るためには、Ｖ含有量の下限を０．０１％とすることが望ましく、０．０５％とすれば一層望ましい。
【０１２２】
なお、上記のＮｂおよびＶは、そのうちのいずれか１種のみ、または２種の複合で含有することができる。
【０１２３】
次に、Ｃａは、硫化物を微細化して面疲労強度を低下させるような粗大なＭｎＳの生成を防ぐ作用を有する。このため、より安定して優れた面疲労強度を得たい場合には、以下の範囲で含有してもよい。
【０１２４】
Ｃａ：０．００５％以下
Ｃａは、硫化物を形成しやすく、ＭｎＳに較べて微細な硫化物を形成して面疲労強度を低下させるような粗大なＭｎＳの生成を防ぐ作用を有するので、前述した効果を得るためにＣａを含有してもよい。しかしながら、Ｃａを０．００５％を超えて含有させても前記の効果は飽和し、コストが嵩むばかりである。したがって、Ｃａの含有量を０．００５％以下とした。なお、Ｃａの含有量は０．００３％以下とすることが望ましい。
【０１２５】
一方、前記したＣａの硫化物の微細化効果を確実に得るためには、Ｃａ含有量の下限を０．０００３％とすることが望ましく、０．０００５％とすれば一層望ましい。
【０１２６】
〔９１０−２０３×Ｃ0.5＋４４．７×Ｓｉ〕の値：８６０以下
本発明の真空浸炭または真空浸炭窒化用の鋼材は、熱間鍛造などの方法で所定の形状の粗形品に成形された後、浸炭焼入れまたは浸炭窒化焼入れされるが、この焼入れの際の熱処理ひずみのバラツキを低減して、実操業上、安定して優れた曲げ疲労強度および面疲労強度を有する部品を得ることが重要である。
【０１２７】
そこで、本発明においては、焼入れの際の熱処理ひずみのバラツキを低減して、実操業上、安定して優れた曲げ疲労強度および面疲労強度を有する部品を製造するために、
９１０−２０３×Ｃ0.5＋４４．７×Ｓｉ≦８６０・・・(1)
を満たすように規定した。
【０１２８】
上記の〔９１０−２０３×Ｃ0.5＋４４．７×Ｓｉ〕の式で表される値は８５０以下であることが好ましい。また、安定して優れた面疲労強度を有するためには、焼戻し軟化抵抗を高める効果があるＳｉをある程度含有させなければならないため、上記の〔９１０−２０３×Ｃ0.5＋４４．７×Ｓｉ〕の式で表される値は８２５以上であることが好ましい。
【０１２９】
〔（０．３１×Ｃ0.5）×（０．７×Ｓｉ＋１．００）×（３．３３×Ｍｎ＋１．００）×（２．１６×Ｃｒ＋１．００）〕の値：２．０〜３．５
本発明においては、優れた面疲労強度を安定して確保する部品を製造するために、前述したように、
２．０≦（０．３１×Ｃ0.5）×（０．７×Ｓｉ＋１．００）×（３．３３×Ｍｎ＋１．００）×（２．１６×Ｃｒ＋１．００）≦３．５・・・(2)
を満たすように規定した。
【０１３０】
なお、〔（０．３１×Ｃ0.5）×（０．７×Ｓｉ＋１．００）×（３．３３×Ｍｎ＋１．００）×（２．１６×Ｃｒ＋１．００）〕の式で表される値は２．２〜３．４であることが好ましい。
【０１３１】
〔０．２×（Ｓ／Ｍｎ）＋Ｐ〕の値：０．０３０以下
本発明においては、優れた曲げ疲労強度を安定して確保するために、前述したように、
０．２×（Ｓ／Ｍｎ）＋Ｐ≦０．０３０・・・(3)
を満たすように規定した。
【０１３２】
〔０．２×（Ｓ／Ｍｎ）＋Ｐ〕の式で表される値は０．０２８以下であることが好ましい。なお、〔０．２×（Ｓ／Ｍｎ）＋Ｐ〕の式で表される値の下限は、Ｍｎの含有量が上限値の１．５％およびＳの含有量が下限値の０．０１５％で、Ｐの含有量を極力少なくした場合の０．００２に近い値である。
【０１３３】
（Ｂ）介在物
前記（Ａ）項に記載した化学組成に加えて、酸化物、酸化物を主体とする複合介在物、窒化物および窒化物を主体とする複合介在物のサイズを制御することによって、すなわち、長手方向に平行な断面において、介在物の長径をＬ（μｍ）、短径をＷ（μｍ）として極値統計法によって予想される累積分布関数が９９％時の前記(4)式で表される酸化物、酸化物を主体とする複合介在物、窒化物および窒化物を主体とする複合介在物の最大等価円直径を３５μｍ以下とすることによって、前述したように、真空浸炭または真空浸炭窒化される部品に、優れた曲げ疲労強度を確保させることができる。
【０１３４】
このため、本発明においては、前記真空浸炭または真空浸炭窒化される部品の素材となる鋼材について、その長手方向に平行な断面において、介在物の長径をＬ（μｍ）、短径をＷ（μｍ）として極値統計法によって予想される累積分布関数が９９％時の前記(4)式で表される酸化物、酸化物を主体とする複合介在物、窒化物および窒化物を主体とする複合介在物の最大等価円直径が３５μｍ以下であることと規定した。
【０１３５】
なお、例えば、次に示す＜ａ＞〜＜ｄ＞の要件を満足させることによって、前記の規定を満たすことができる。
【０１３６】
＜ａ＞鋼中のＡｌ、Ｎ、不純物中のＯ（酸素）およびＴｉの含有量を既に（Ａ）項で述べた量以下、すなわち、Ａｌ：０．０５０％以下、Ｎ：０．０２５％以下、Ｏ：０．００１２％以下およびＴｉ：０．００３％以下に制御する。
【０１３７】
＜ｂ＞二次精錬において、ＲＨ真空脱ガス処理を３０分以上実施し、また、溶鋼の環流を十分に行う。
【０１３８】
＜ｃ＞取鍋、タンディッシュなどの耐火物の溶損や鋳造時のスラグおよびパウダーの巻き込みを防止する。
【０１３９】
＜ｄ＞例えば、一辺の長さが４００ｍｍといった大断面のブルームを製造する場合には、鋳造速度を十分に遅くして、大型介在物の浮上を促進させ、さらに、Ｔｉなどの中心偏析を抑制するために、溶鋼の電磁攪拌を行ったり、凝固末期に軽圧下を施したりする。
【０１４０】
以下、実施例により本発明をさらに詳しく説明する。
【実施例】
【０１４１】
表５に示す化学組成を有する鋼１〜２１を５０ｋｇ真空溶解炉で溶解した後、鋳造してインゴットを作製した。
【０１４２】
なお、溶解は、真空度および脱酸剤としてのＡｌの投入までの時間（脱ガス時間）を変化させて行った。
【０１４３】
表５には、前記〔９１０−２０３×Ｃ0.5＋４４．７×Ｓｉ〕の式で表される値、〔（０．３１×Ｃ0.5）×（０．７×Ｓｉ＋１．００）×（３．３３×Ｍｎ＋１．００）×（２．１６×Ｃｒ＋１．００）〕の式で表される値および〔０．２×（Ｓ／Ｍｎ）＋Ｐ〕の式で表される値を、それぞれ、「ｆ１の値」、「ｆ２の値」および「ｆ３の値」として併記した。なお、鋼１は、既に述べたＪＩＳのＳＣＭ４２０に相当する鋼で、Ｍｏを含有するため、「ｆ２の値」は〔（０．３１×Ｃ0.5）×（０．７×Ｓｉ＋１．００）×（３．３３×Ｍｎ＋１．００）×（２．１６×Ｃｒ＋１．００）×（３．００×Ｍｏ＋１．００）〕の式で表される値とした。
【０１４４】
表５中の鋼２、鋼４〜７、鋼１１〜１６、鋼１８および鋼１９は、化学組成が本発明で規定する範囲内にある鋼である。
【０１４５】
一方、表５中の鋼１、鋼３、鋼８〜１０、鋼１７、鋼２０および鋼２１は、化学組成が本発明で規定する条件から外れた鋼である。
【０１４６】
【表５】
2010150566.tif 000006
【０１４７】
各インゴットを一旦室温まで冷却した後、２分割し、インゴットの下部に相当する方および上部に相当する方を区別して、次工程の熱間鍛造に供した。
【０１４８】
すなわち、鋼１については、大型の介在物が少ないインゴットの下部（インゴットの下半分）に相当する方を次工程の熱間鍛造に供した（試験番号１）。
【０１４９】
同様に、鋼２〜２１についても、大型の介在物が少ないインゴットの下半分に相当する方を次工程の熱間鍛造に供した（試験番号２〜１２および試験番号１４〜２２）。なお、鋼１３については、大型の介在物が多いインゴットの上部１／５に相当する方も次工程の熱間鍛造に供した（試験番号１３）。
【０１５０】
すなわち、いずれの試験番号においても、１２５０℃で加熱し、仕上げ温度を９５０℃以上として熱間鍛造して、直径３５ｍｍの丸棒を得た。なお、熱間鍛造終了後は、大気中で放冷して室温まで冷却した。
【０１５１】
次いで、上記の各丸棒に、９２５℃で３０分保持した後に大気中で放冷して室温まで冷却する焼ならしを施した。
【０１５２】
既に述べたように、焼ならし後の直径が３５ｍｍの鋼１の丸棒の中心部から、鍛錬軸に平行に図１に示す形状のローラーピッチング小ローラー試験片および図６に示す形状の小野式回転曲げ疲労試験片を切り出し、表面のＣ濃度が０．８％となるよう図３に示すヒートパターンで「ガス浸炭焼入れ−焼戻し」を行なった。その後、仕上げ加工を実施して、室温でのローラーピッチング試験および小野式回転曲げ疲労試験に供した（試験番号１）。
【０１５３】
同様に、焼ならし後の直径が３５ｍｍの鋼２〜２１の各丸棒の中心部からも、鍛錬軸に平行に図１に示す形状のローラーピッチング小ローラー試験片および図６に示す形状の小野式回転曲げ疲労試験片を切り出した。
【０１５４】
鋼２〜５、鋼７〜１１、鋼１３、鋼１５〜１８および鋼２０のローラーピッチング小ローラー試験片および小野式回転曲げ疲労試験片については、温度が９３０℃で、圧力を数Ｐａ程度に減圧した炉内にアセチレンを導入し、表面のＣ濃度が共析組成である０．８％となるように図２に示すヒートパターンで「真空浸炭焼入れ−焼戻し」を行なった。なお、浸炭期は１ｋＰａ以下のアセチレン雰囲気であり、拡散期は５ｈＰａ以下の真空である。その後、仕上げ加工を実施して、室温でのローラーピッチング試験および小野式回転曲げ疲労試験に供した（試験番号２〜５、試験番号７〜１１、試験番号１３、試験番号１４、試験番号１６〜１９および試験番号２１）。
【０１５５】
鋼６、鋼１２、鋼１４、鋼１９および鋼２１のローラーピッチング小ローラー試験片および小野式回転曲げ疲労試験片については、温度が９３０℃で、圧力を数Ｐａ程度に減圧した炉内にアセチレンを導入し、表面のＣ濃度とＮ濃度がそれぞれ、０．８％と０．３％となるように、図１２に示すヒートパターンで「真空浸炭窒化焼入れ−焼戻し」を行なった。なお、なお、浸炭期は１ｋＰａ以下のアセチレン雰囲気であり、拡散期は５ｈＰａ以下の真空、焼入れ前の窒化の際は５００ｈＰａ以下のアンモニア雰囲気である。その後、仕上げ加工を施して、室温でのローラーピッチング試験および小野式回転曲げ疲労試験に供した（試験番号６、試験番号１２、試験番号１５、試験番号２０および試験番号２２）。
【０１５６】
ローラーピッチング試験の大ローラーには、前述したＪＩＳのＳＣＭ４２０鋼を一般的な製造工程、すなわち通常の「焼ならし→試験片加工→ガス浸炭炉による共析浸炭→焼入れ→低温焼戻し→研磨」の工程で、図４に示す形状に仕上げたものを用いた。
【０１５７】
なお、上記ローラーピッチング大ローラーの表面から０．０５ｍｍの位置における硬さはビッカース硬さで７４０〜７６０で、また、ビッカース硬さが５５０を超える、いわゆる「有効硬化層深さ」は、０．８〜１．０ｍｍの範囲にあった。
【０１５８】
上記の小ローラーと大ローラーを用いて、すべり率４０％、回転数１５００ｒｐｍ、油温９０℃の条件でローラーピッチング試験を行った。
【０１５９】
なお、ローラーピッチング試験した場合に、累積回転数が１．０×１０7回で破損しなかった際の面圧を「ピッチング強度」とし、このピッチング強度によって面疲労強度を評価し、鋼１のピッチング強度に対して２０％以上向上していることを面疲労強度の目標とした。
【０１６０】
また、３０００ｒｐｍの回転数、室温、大気中の雰囲気で、小野式回転曲げ疲労試験した場合に、１．０×１０7回で破損しなかった際の応力を「疲労限」とし、この疲労限によって曲げ疲労強度を評価し、鋼１の疲労限に対して２０％以上向上していることを曲げ疲労強度の目標とした。
【０１６１】
さらに、鋼１〜２１の焼ならしした直径３５ｍｍの丸棒を用いて、丸棒の長手方向に平行な断面を切り出して鏡面研磨した後、光学顕微鏡を用いて酸化物、酸化物を主体とする複合介在物、窒化物および窒化物を主体とする複合介在物について、倍率４００倍で５０視野観察した。そして、個々の介在物の長径をＬ（μｍ）、短径をＷ（μｍ）として、各視野における（πＬＷ／４）0.5の値が最大になるものを求めた（試験番号１〜２２）。
【０１６２】
そして、上記で求めた５０の（πＬＷ／４）0.5の値を小さいものから順に並べ直してそれぞれ（πＬＷ／４）0.5j（ここで、ｊ＝１〜５０）とし、それぞれのｊについて、累積分布関数Ｆj＝１００（Ｊ／５１）（％）を計算した。
【０１６３】
次いで、基準化変数ｙj＝−ｌｏｇe（−ｌｏｇe（ｊ／５１））を縦軸に、横軸に（πＬＷ／４）0.5jを取ったグラフを書き、最小自乗法によって近似直線を求めた。そして、求めた直線から、累積分布関数Ｆjが９９％となる時（すなわち、基準化変数ｙj≒４．６となる時）の値を読み取り、これを最大等価円直径（πＬＷ／４）0.5とした。
【０１６４】
また、鋼１〜２１の焼ならしした直径３５ｍｍの丸棒から、機械加工で直径が２７ｍｍで長さが１００ｍｍの丸棒を作製し、各鋼について１０本の丸棒試験片について、鋼１は図３に示すヒートパターンでガス浸炭焼入れを行う前後における振れ量を、鋼２〜２１については図２あるいは、図１２に示すヒートパターンで真空浸炭焼入れまたは真空浸炭窒化焼入れを行う前後における振れ量を測定することによって、熱処理ひずみのバラツキを調査した（試験番号１〜２２）。
【０１６５】
具体的には、上記直径が２７ｍｍで長さが１００ｍｍの丸棒を３回転させた際の、丸棒長手方向中央の変位をレーザー変位センサーにより測定し、変位の「最大値−最小値」を振れ量として、上述の真空浸炭焼入れ前後における振れ量の差を求め、これを「振れ変化量」とした。そして、各鋼について１０本の試験片における「最大の振れ変化量」と「最小の振れ変化量」を測定し、両者の差をもって熱処理ひずみのバラツキを評価した。なお、バラツキは０．２０ｍｍ以下であることを目標とした。
【０１６６】
表６に、上記の各調査結果をまとめて示した。  
【０１６７】
【表６】
2010150566.tif 000007
【０１６８】
表６から明らかなように、本発明で規定する条件から外れた比較例の試験番号の場合には、少なくとも、ローラーピッチング試験における面疲労強度、小野式回転曲げ疲労試験における曲げ疲労強度、熱処理ひずみのバラツキのいずれかが目標に達していない。
【０１６９】
すなわち、試験番号３は、鋼３のＳｉ含有量が本発明で規定する下限値を下回る０．２５％であるため、面疲労強度が目標に達していない。
【０１７０】
試験番号８は、鋼８のＯ含有量が本発明で規定する上限値を上回る０．０１４％で、しかも、前記の最大等価円直径が本発明で規定する上限値を上回る３７μｍであるため、曲げ疲労強度が目標に達していない。
【０１７１】
試験番号９は、鋼９が(2)式を満たさないため、面疲労強度が目標に達していない。
【０１７２】
試験番号１０は、鋼１０が(3)式を満たさないため、曲げ疲労強度が目標に達していない。
【０１７３】
試験番号１３は、鋼１３の化学組成は本発明で規定する範囲内にあるものの、最大等価円直径が本発明で規定する上限値を上回る３６μｍであるため、曲げ疲労強度が目標に達していない。
【０１７４】
試験番号１８は、鋼１７が(1)式を満たさないため、最大の振れ変化量と最小の振れ変化量の差が著しく増加して、熱処理ひずみのバラツキが極めて大きくなっている。試験片にはひずみの影響を除く目的で、仕上げ加工を施しているため、曲げ疲労強度およびピッチング強度は目標を満足するものの、実操業では、安定して優れた曲げ疲労強度および面疲労強度を有する部品を製造することはできない。
【０１７５】
試験番号２１および２２は、それぞれ、鋼２０および鋼２１が(3)式を満たさないため、曲げ疲労強度が目標に達していない。
【０１７６】
これに対して、本発明の規定を全て満たす本発明例の各試験番号の場合には、ローラーピッチング試験における面疲労強度および小野式回転曲げ疲労試験における曲げ疲労強度の双方が目標を満たしており、優れた面疲労強度および曲げ疲労強度が得られている。しかも、熱処理ひずみのバラツキも小さい。
【産業上の利用可能性】
【０１７７】
本発明の真空浸炭または真空浸炭窒化用の鋼材は、ＭｏやＮｉといった高価な元素を含有していないため、成分コストが低く、しかも、この鋼材を素材として真空浸炭または真空浸炭窒化を施して焼入れされた部品は、優れた面疲労強度と曲げ疲労強度を具備している。このため、本発明の真空浸炭または真空浸炭窒化用の鋼材は、自動車や産業機械の歯車、プーリー、シャフトなど各種の真空浸炭または真空浸炭窒化される部品の素材として用いるのに好適である。
【図面の簡単な説明】
【０１７８】
【図１】ローラーピッチング小ローラー試験片の形状を示す図である。なお、寸法の単位は「ｍｍ」である。
【図２】「真空浸炭焼入れ−焼戻し」のヒートパターンについて説明する図である。
【図３】「ガス浸炭焼入れ−焼戻し」のヒートパターンについて説明する図である。
【図４】ローラーピッチング大ローラー試験片の形状を示す図である。なお、寸法の単位は「ｍｍ」である。
【図５】インゴットの下半分を用いた場合において、図３に示すヒートパターンで「ガス浸炭焼入れ−焼戻し」した鋼１のピッチング強度を「１．００」として、図２に示すヒートパターンで「真空浸炭焼入れ−焼戻し」を行なった鋼ａ〜ｆのピッチング強度と〔（０．３１×Ｃ0.5）×（０．７×Ｓｉ＋１．００）×（３．３３×Ｍｎ＋１．００）×（２．１６×Ｃｒ＋１．００）〕の式で表される値との関係を整理して示す図である。なお、図５においては、上記の式を「ｆ２」として表記した。
【図６】小野式回転曲げ疲労試験片の形状を示す図である。なお、寸法の単位は「ｍｍ」である。
【図７】図３に示すヒートパターンで「ガス浸炭焼入れ−焼戻し」した鋼１の疲労限を「１．００」として、図２に示すヒートパターンで「真空浸炭焼入れ−焼戻し」を行なった鋼イ〜チのインゴットの下半分を用いた場合の疲労限と〔（Ｓ／Ｍｎ）＋Ｐ〕の式で表される値との関係を整理して示す図である。
【図８】図３に示すヒートパターンで「ガス浸炭焼入れ−焼戻し」した鋼１の疲労限を「１．００」として、図２に示すヒートパターンで「真空浸炭焼入れ−焼戻し」を行なった鋼イ〜チのインゴットの下半分を用いた場合の疲労限と〔Ｓ＋Ｐ〕の式で表される値との関係を整理して示す図である。
【図９】図３に示すヒートパターンで「ガス浸炭焼入れ−焼戻し」した鋼１の疲労限を「１．００」として、図２に示すヒートパターンで「真空浸炭焼入れ−焼戻し」を行なった鋼イ〜チのインゴットの下半分を用いた場合の疲労限と〔０．２×（Ｓ／Ｍｎ）＋Ｐ〕の式で表される値との関係を整理して示す図である。
【図１０】図３に示すヒートパターンで「ガス浸炭焼入れ−焼戻し」した鋼１の疲労限を「１．００」として、図２に示すヒートパターンで「真空浸炭焼入れ−焼戻し」を行なった鋼Ａ〜Ｆのインゴットの上部１／５および下半分を用いた場合の疲労限と酸素含有量との関係をまとめて示す図である。なお、図１０においては、「酸素含有量」を「酸素量」と表記した。
【図１１】図３に示すヒートパターンで「ガス浸炭焼入れ−焼戻し」した鋼１の疲労限を「１．００」として、図２に示すヒートパターンで「真空浸炭焼入れ−焼戻し」を行なった鋼Ａ〜Ｆのインゴットの上部１／５および下半分を用いた場合の疲労限と、長手方向に平行な断面において、極値統計法によって予想される酸化物、酸化物を主体とする複合介在物、窒化物および窒化物を主体とする複合介在物の最大等価円直径との関係をまとめて示す図である。
【図１２】「真空浸炭窒化焼入れ−焼戻し」のヒートパターンについて説明する図である。
【図１】
2010150566.tif 000008
【図２】
2010150566.tif 000009
【図３】
2010150566.tif 000010
【図４】
2010150566.tif 000011
【図５】
2010150566.tif 000012
【図６】
2010150566.tif 000013
【図７】
2010150566.tif 000014
【図８】
2010150566.tif 000015
【図９】
2010150566.tif 000016
【図１０】
2010150566.tif 000017
【図１１】
2010150566.tif 000018
【図１２】
2010150566.tif 000019